(57)【特許請求の範囲】
【請求項１】
レーザービームの照射によって記録マークを形成することが可能な光ディスクに対して、レーザーダイオードを駆動して、レーザービームを照射するための駆動信号を生成する光ディスク用データ記録信号生成装置において、
所定の周期で基準クロックを発振する基準クロック発振器と、
上記基準クロックをカウントし、そのカウント値を出力するカウンター回路と、
レーザーダイオードを駆動するため駆動信号を発生する振幅発生器と、
エンコード信号よりその反転期間を検出し、反転期間の変化に応じて切換パルスを出力するエンコード信号検出回路と、
レーザーの発光期間を設定する設定値を出力する手段であって、前記切換パルスに応じた設定値を出力するカウンタ値設定回路と、
前記設定値と、前記カウント値とを比較し、これらが一致したときに、一致パルスを出力する一致パルス出力回路と、
前記設定値を複数設定し、前記一致パルス出力回路に入力せしめる選択回路と、
前記振幅発生器を駆動するための振幅指示信号を出力するデコーダ回路と、
前記一致パルスの入力を受けたとき、前記切換パルスに応じて、エンコード信号の反転期間に応じたホールド出力を前記デコーダ回路に出力するホールド回路とを具備し、
前記選択回路から選択的に設定値を前記一致パルス出力回路に入力することにより、前記記録マークの記録期間を複数の期間に分割し、当該設定値と、前記カウンタ値を比較することによって、前記デコーダ回路から出力される振幅指示信号の出力期間を設定し、前記振幅発生器により、光ディスクにレーザービームを照射するためのレーザーダイオード駆動信号を出力することを特徴とする光ディスク用データ記録信号生成装置。
【請求項２】
前記ホールド回路は遅延素子を具備し、前記一致パルスの入力に基づき、基準クロックを遅延素子によって遅延させ、互いに開始タイミングの異なるホールド出力信号を生成し、前記設定値に応じて前記複数のホールド出力のうちいずれかひとつを前記デコーダ回路に出力せしめることを特徴とする請求項１記載の光ディスク用データ記録信号生成装置。
【発明の詳細な説明】
【０００１】
【発明の属する技術分野】
本発明は、レーザービームの照射によって記録マークを形成することが可能な光ディスクに対して、レーザーダイオードを駆動して、レーザービームを照射するための駆動信号を生成する光ディスク用データ記録信号生成装置に関する。
【０００２】
【従来の技術】
従来の光ディスク用データ記録信号生成装置について、図４を引用して説明する。
図４は光ディスク用データ記録信号生成装置の回路ブロックの構成を示す回路ブロック図である。
【０００３】
４Ａは所定の基準クロックを発生する発振器である。この発振器４Ａは自動励式の発振器で、発振精度を高めるために水晶発振器を採用している。
発振器４Ａの出力は、高速カウンタ４Ｂに入力されている。
【０００４】
この高速カウンタ４Ｂは、光ディスクに記録すべきエンコード信号よりエンコードすべき信号の信号の長さを検出するエンコード信号長期間検出回路４Ｃからのリセットパルスが入力される。
【０００５】
また、エンコード信号長期間検出回路４Ｃのリセットパルスはカウント設定回路４Ｄにも供給されている。
カウント設定回路４Ｄは、複数のカウント一致回路４Ｅ〜４Ｉに対して、高速カウンタ４Ｂのカウント出力と比較するための設定値データを入力する。
【０００６】
この設定値データは、図示しないマイコンよりカウント設定回路４Ｄに入力される発光長設定情報に基づいて設定される値である。
カウント設定回路４Ｄは、ホールド回路４Ｊ〜４Ｎに対してもこの設定値データを入力している。
【０００７】
各ホールド回路４Ｊ〜４Ｎは、この設定値データに応じた期間、ホールド信号を出力するように設定される。
各ホールド回路のホールド出力信号は、デコーダ回路４Ｏに出力される。
【０００８】
そして、デコーダ回路はこのホールド出力信号の期間、レーザーダイオードの駆動期間に対応したモニター期間パルスと、振幅発生器４Ｐを駆動する振幅指示信号とを出力する。
【０００９】
振幅発生器４Ｐは、図示しないレーザーダイオードの駆動用の発光パワー信号を振幅指示信号が入力される期間だけ出力する。
レーザーダイオードは発光パワー信号の入力される期間に応じて、レーザービームを出力して、光ディスク上に記録マークを形成する。
【００１０】
光ディスクに記録するエンコードした原信号の信号長に応じて調整を行わないので、このとき光ディスクに記録される記録信号の信号長は、実際に記録しようとする信号の信号長より長くなってしまう。
【００１１】
また、光ディスク上に形成される記録信号のマークの形状が正規の形状とは異ななるものとなってしまい、再生時に適切な反射特性が得られない。
そこで、マーク記録するとき、マークの先頭から所定長だけ一時的にレーザーパワーを高め且つ、原信号の期間より短くレーザーを駆動して、原信号長さと、マーク長が一致するようにレーザーを制御していた。
【００１２】
従来の回路では、信号長の微調整のために、図２で示されるようなタイミングでホールドパルスを出力していた。
図２はこの回路の各ブロックにおける、信号のタイミングチャートである。
【００１３】
高速カウンタ４Ｂの値がカウント一致回路４Ｅの設定値と一致すると、カウント一致１が立ち上がる。
ホールド回路４Ｊはこのとき、ホールド出力信号を立ち上げる。
【００１４】
そして順次各カウント一致回路４Ｆ〜４Ｉに対して、高速カウンタ４Ｂのカウント値が分配され、各設定値と一致することにより、各ホールド回路４Ｋ〜４Ｎのホールド出力１〜５が出力される。
【００１５】
そして、各ホールド回路４Ｊ〜４Ｎからのホールド出力信号は、エンコード信号長検出回路４Ｃが記録マーク長に相当する信号を出力開始するタイミングに同期して出力される初期設定パルスの入力を受けるまで、これらホールド出力を維持する。
【００１６】
この構成によれば、高速カウンタ４Ｂの出力が各カウント一致回路４Ｅ〜４Ｉに分配されることになる。
各カウント一致回路４Ｅ〜４Ｉへカウント値を分配することは、それだけ高速でカウントパルスを発生させなければならない。
【００１７】
また、各カウント一致回路４Ｅ〜４Ｉの信号線路毎に高速カウンタの出力するカウント値の伝播遅延が発生し、各カウント一致回路の動作タイミングのずれが生じ誤動作を生じ易くしていた。
【００１８】
この従来の回路構成でにおいて発生していた遅延は、記録信号の出力に影響を与え、光ディスク上の実際の記録マーク長と、データ記録用の原信号との間に誤差を生じさせるという、光ディスク記録装置にとっては、致命的な問題を生じるものである。
【００１９】
【発明が解決しようとする課題】
上記問題を鑑みて、本発明は、高速カウンタの出力の遅延による、回路の誤動作を防止し、より確実な記録信号の期間微調整を行い得る良好な光ディスク用データ記録信号生成装置を提供することを課題とする。
【００２０】
【課題を解決するための手段】
上記課題を解決するために、本発明の光ディスク用データ記録信号生成装置は、レーザービームの照射によって記録マークを形成することが可能な光ディスクに対して、レーザーダイオードを駆動して、レーザービームを照射するための駆動信号を生成する光ディスク用データ記録信号生成装置において、
所定の周期で基準クロックを発振する基準クロック発振器と、
上記基準クロックをカウントし、そのカウント値を出力するカウンター回路と、
レーザーダイオードを駆動するため駆動信号を発生する振幅発生器と、
エンコード信号よりその反転期間を検出し、反転期間の変化に応じて切換パルスを出力するエンコード信号検出回路と、
レーザーの発光期間を設定する設定値を出力する手段であって、前記切換パルスに応じた設定値を出力するカウンタ値設定回路と、
前記設定値と、前記カウント値とを比較し、これらが一致したときに、一致パルスを出力する一致パルス出力回路と、
前記設定値を複数設定し、前記一致パルス出力回路に入力せしめる選択回路と、
前記振幅発生器を駆動するための振幅指示信号を出力するデコーダ回路と、
前記一致パルスの入力を受けたとき、前記切換パルスに応じて、エンコード信号の反転期間に応じたホールド出力を前記デコーダ回路に出力するホールド回路とを具備し、
前記選択回路から選択的に設定値を前記一致パルス出力回路に入力することにより、前記記録マークの記録期間を複数の期間に分割し、当該設定値と、前記カウンタ値を比較することによって、前記デコーダ回路から出力される振幅指示信号の出力期間を設定し、前記振幅発生器により、光ディスクにレーザービームを照射するためのレーザーダイオード駆動信号を出力することを特徴とする。
【００２１】
【発明の実施の形態】
本発明の実施例につき、図１を引用して説明する。
図１は本発明の光ディスク用データ記録信号生成装置の回路ブロック図である。
【００２２】
１Ａは基準クロックを発生する発振器であり、そのクロックは高速カウンタ１Ｂにてカウントされる。
この高速カウンタ１Ｂには、エンコード信号長期間検出回路１Ｏからの初期設定のためにリセットパルスが入力される。
【００２３】
エンコード信号長期間検出回路１Ｏからのリセットパルスは、カウント設定回路１Ｎにも出力されている。このリセットパルスはカウント設定回路１Ｎが発光長設定情報から得た設定値データ出力の切換を行うための基準信号となる。カウント設定回路１Ｎはセレクタ１Ｅ及び、セレクタ１Ｍに対して各信号長に応じた設定値データを出力する。
【００２４】
セレクタ１Ｒ及び、１Ｍは、カウント一致回路１Ｃ及び、１Ｌに対して選択的に前記の各信号長に応じた設定値を入力させるように構成されている。
カウント一致回路１Ｃ及び、１Ｌには、高速カウンタのカウント値が入力されており、入力された前記設定値との比較を行う。
【００２５】
カウント一致回路１Ｃの出力はホールド回路１Ｄと、ＡＮＤ回路１Ｉ，１Ｊの入力端子に入力されるように構成されている。
また、カウント一致回路１Ｌの出力はホールド回路１Ｇと、ＡＮＤ回路１Ｋの入力端子に入力されるように構成されている。
【００２６】
ＡＮＤ回路１Ｉ，１Ｊの入力端子に入力されるように構成されている。
また、カウント一致回路１Ｌの出力はホールド回路１Ｇと、ＡＮＤ回路１Ｋの入力端子に入力されるように構成されている。
【００２７】
ホールド回路１Ｄの出力はＡＮＤ回路１Ｉの他の入力端子と、デコーダ１Ｑ及びセレクタ１Ｒへ出力されるように構成されている。
ホールド回路１Ｅの出力はセレクタ１ＲとＡＮＤ回路１Ｊの他の入力端子とデコーダ１Ｑへ出力されるように構成されている。。
【００２８】
ＡＮＤ回路１Ｉ，１Ｊの出力はそれぞれホールド回路１Ｅ、１Ｆに出力されている。
ホールド回路１Ｇの出力はセレクタ１Ｍと、ＡＮＤ回路１Ｋの他の入力端子と、デコーダ１Ｑへ出力されるように構成されている。
【００２９】
また、デコーダ１Ｈからの出力はデコーダ１Ｑに対して入力されている。
各ホールド回路１Ｄ〜１Ｈには、エンコード信号長検出回路１０からの信号長に基づいたデータが入力されており、ホールド回路１Ｄ〜１Ｈは、これにも基づいてそれぞれが出力するホールド信号の出力期間を決定している。
【００３０】
各ホールド回路１Ｄ〜１Ｈには、発振器１Ａが出力するマスタークロックが入力されている。
デコーダ１Ｑは、ホールド回路１Ｈからのホールド信号に応じた振幅指示信号と、モニタ期間パルスを出力する。
【００３１】
次に、上記ホールド回路１Ｄ、１Ｅ及び、１Ｆの具体的な回路構成を説明する。また、図２を用いて本回路の動作を説明する。
図２は本発明の光ディスク用データ記録信号生成装置の各ブロックにおける信号のタイミングチャートである。
【００３２】
まず、エンコード信号をエンコード信号長期間検出回路１Ｏにて、光ディスクに記録するマーク部分に相当する信号に応じた設定値をセレクタ１Ｒ、１Ｍへ入力する。
【００３３】
このとき設定値は５種類用意されており、このうち第１の設定値１がカウント一致回路１Ｃへ出力される。ここで、カウント一致回路は高速カウンタ１Ｂから入力されるカウント値と設定値１と比較する。
【００３４】
そして、設定値１とカウント値が一致したばあいは、後段のホールド回路１Ｄに対して、一致パルスを入力する。ホールド回路１Ｄは、この一致パルスを受けて、ホールド出力１を出力する。このときセレクタと、ＡＮＤ回路１Ｉ及びデコーダ回路１Ｑに対してホールド出力が供給される。
【００３５】
このときデコーダ回路１Ｑの振幅指示信号の波形は信号１が立ち上がるようになる。
この時、セレクタ１Ｒは次の第２の設定値２をカウント一致回路１Ｃへ入力する。
【００３６】
ここで、カウント値と設定値２が一致したときは、ＡＮＤ回路１Ｉの論理積条件が一致して、ホールド回路１Ｅにハイレベル信号が入力される。
ホールド回路１Ｅはこの信号を受けて、ホールド出力２を出力する。
【００３７】
このホールド出力２はセレクタ１Ｒと、デコーダ回路１Ｑへ供給される。
このときデコーダ回路１Ｑが出力する振幅指示信号の波形は信号１が立ち下がり、信号２が立ち上がる。
【００３８】
ホールド出力１からホールド出力２の立ち上がりまでの期間Ａはマークの記録の開始時にあたるので、マーク長微調整のためにの振幅発生器１Ｐから出力される発光パワー信号のレベルを大きくし、レーザーダイオードの出力を高める。
【００３９】
信号２の波形が立ち上がった後は、マークの中ほどを記録している期間Ｂにあたり発光パワー信号のレベルを下げて中位レベルに安定させる。
セレクタ１Ｒは、次に第３の設定値３をカウント一致回路１Ｃへ出力する。
このとき、カウント値と設定値３が一致した場合は、ホールド回路１Ｄにカウント一致パルスを出力し、更にＡＮＤ回路１Ｊに対して一致パルスを出力する。
【００４０】
これを受けたＡＮＤ回路１Ｊは、論理積条件の成立により、ハイレベル信号を出力する。
これを受けたホールド回路１Ｆはデコーダ回路１Ｑに対してホールド出力３を出力する。
【００４１】
このときデコーダ回路１Ｑが出力するモニター期間パルスが立ち上がる。
一方、セレクタ１Ｍは、第４の設定値４をカウント一致回路１Ｌに入力させる。
【００４２】
カウント値と設定値４が一致した場合は、ホールド回路１ＬとＡＮＤ回路１Ｋの入力端子へ一致パルスが出力される。
ホールド回路１Ｇはこれを受けてホールド出力４をデコーダ回路１ＱとＡＮＤ回路へ出力する。
【００４３】
この時のデコーダ回路１Ｑの振幅指示信号は信号２の波形が立ち下がり、信号３の波形が立ち上がる。
このとき、デコーダ回路１Ｑの発光パワー信号は期間Ｂのレベルから更に立ち下がる。
【００４４】
この期間Ｃはマークの後端部を記録している期間で、レーザーの出力を最も小さいレベルに微調整すし、記録マークの冷却を行う。
次にセレクタ１Ｍはカウント一致回路１Ｌに第５の設定値を入力してカウント値と比較する。
【００４５】
カウント値と設定値５が一致した場合は、ＡＮＤ回路１Ｋの入力端子に一致パルスが入力され論理積条件が成立し、ハイレベル信号がホールド回路に供給される。
【００４６】
ホールド回路１Ｈは、ホールド出力５を出力する。
このときデコーダ回路１Ｑの振幅指示信号の波形は信号３が立ち下がった状態となる。
【００４７】
このときには、信号の記録がマークの後端部まで進んだ状態であり、発光パワー信号を０レベルまで立ち上げる。
発光パワー信号のゲインはデコーダ回路内の図示しないゲインコントロールアンプにて制御される。
【００４８】
次に、上記ホールド回路１Ｄ〜１Ｈについて説明する。
図３はホールド回路１Ｇ、１Ｈの回路構成図である。
加算器３Ｇと、Ｆ／Ｆ回路３Ｈからなる。
【００４９】
加算器３Ｇにはカウント一致回路１Ｌから一致信号が入力されおり、この一致信号の入力は加算器３Ｇを経て、Ｆ／Ｆ回路３Ｈに入力されている。Ｆ／Ｆ回路３Ｈの出力はホールド出力４、５として出力されており且つ、加算器３Ｇフィードバックされている。
【００５０】
上記のホールド回路の分解能を向上を図った別の回路の実施例を図４を用いてい説明する。
図４は、このホールド回路の回路構成図である。
【００５１】
本回路は、加算器３Ａ、３Ｃ、Ｆ／Ｆ（フリップフロップ）回路３Ｂ、３Ｄ、遅延素子３Ｅ及び、セレクタ３Ｆとからなる。
カウント一致回路１Ｃから出力される一致信号は加算器３Ａに入力される。
【００５２】
そして、加算器３Ａを経た後、Ｆ／Ｆ（フリップフロップ）回路３Ｂ、３Ｄに入力される。Ｆ／Ｆ回路３Ｂ、３Ｄの出力信号は、加算器３Ｃにて加算され、セレクタ３Ｆの端子に入力される。
【００５３】
また、セレクタ３Ｆの他の端子には、Ｆ／Ｆ回路３Ｄの出力信号が入力されている。セレクタ１Ｒ及び、１Ｍは、マークの記録期間を分割した各タイミング期間Ａ〜Ｃに応じて、セレクタ１Ｒ及び、１Ｍに対して入力された設置値のうち、最下位値をセレクタ３Ｆに対して出力する。
【００５４】
この場合、カウント一致１Ｃ及び、１Ｌには上記最下位値を除いた他の設定値が入力されることになる。
また、Ｆ／Ｆ回路３Ｂにはマスタクロックが入力され、Ｆ／Ｆ回路３Ｄには、遅延素子３Ｅを介して、マスタークロックが入力される。
【００５５】
Ｆ／Ｆ回路３Ｂ、Ｆ／Ｆ回路３Ｄは、それぞれ、入力されるマスタークロックで動作する。
遅延素子３Ｅは、マスタークロックを遅延することにより、分解能を２倍に向上させる。
【００５６】
セレクタ３Ｆはこの設定値入力と、加算器３Ａの出力と、Ｆ／Ｆ回路３Ｄの出力とに基づき、セレクタ３Ｆは、ホールド出力１〜３を出力する。
この回路では、遅延素子３Ｅが介在したことにより、ホールド出力１〜３の出力信号の期間精度が向上する。
【００５７】
次に、上記ホールド回路１Ｇ、１Ｈの具体的な回路構成を説明する。
本回路によれば、ホールド回路４、５はマスタークロック周期の分解能でホールド出力が決定されるが、ホールド回路１、２及び、３ではマスタクロックと周期と遅延素子効果により、周期中間の２個所でホールド出力を決定することなるので、分解能はマスタークロックの倍となり、マスタークロックの周期の分解能同等となり、高速カウンタ１Ｂに入力させるマスタークロックの周期を高めることなく、高分解能のホールド信号を出力することができ、データ記録信号の期間精度を高めることができる。
【００５８】
尚、このホールド回路１Ｇ、１Ｈに、複数の遅延素子を設ければホールド出力を多様化することができ、発光パワー信号の高分解能化を更に向上させることも可能である。
【００５９】
また、図３の回路において、カウント一致回路を個別に設けず、期間設定値を、セレクタを介して選択的に設定するようにしたので、カウント一致回路にカウント値を供給する高速カウンタ１Ｂの負荷が軽減され、発光パワー信号の高分解能化に必用な高速カウンタ１Ｂの出力の高速化を図ることができる。
【００６０】
【発明の効果】
本発明によれば、高速カウンタの出力の遅延による、回路の誤動作を防止し、より確実な記録信号の期間微調整を行い得る良好な光ディスク用データ記録信号生成装置を提供することができる。
【図面の簡単な説明】
【図１】本発明の光ディスク用データ記録信号生成装置のブロック図。
【図２】本発明の光ディスク用データ記録信号生成装置各ブロックのタイミグチャート。
【図３】本発明の光ディスク用データ記録信号生成装置に用いるホールド回路のブロック図。
【図４】本発明の光ディスク用データ記録信号生成装置に用いるホールド回路のブロック図。
【図５】従来の光ディスク用データ記録信号生成装置のブロック図。
【図６】従来の光ディスク用データ記録信号生成装置各ブロックのタイミグチャート。
【符号の説明】
１Ｒ、１Ｍ………セレクタ
１Ｄ、１Ｅ、１Ｆ、１Ｇ、１Ｈ………ホールド回路
１Ｃ、１Ｌ………カウント一致回路
１Ｑ………デコーダ
１Ｐ………振幅発生回路
１Ｂ………高速カウンタ回路
【図１】
0003856421.tif 000002
【図２】
0003856421.tif 000003
【図３】
0003856421.tif 000004
【図４】
0003856421.tif 000005
【図５】
0003856421.tif 000006
【図６】
0003856421.tif 000007